【手続補正書】
【提出日】平成22年2月15日(2010.2.15)
【手続補正１】
【補正対象書類名】明細書
【補正対象項目名】発明の名称
【補正方法】変更
【補正の内容】
【発明の名称】ＭＲ撮影方法、ＭＲＩ装置、断層像撮影方法および断層像撮影装置
【手続補正２】
【補正対象書類名】特許請求の範囲
【補正対象項目名】全文
【補正方法】変更
【補正の内容】
【特許請求の範囲】
【請求項１】
呼吸を停止させた状態で横隔膜を含む撮像領域を持つＭＲ画像を撮像するナビゲータ用撮像ステップと、前記ナビゲータ画像を解析して横隔膜の位置を取得する横隔膜位置取得ステップと、呼吸を停止させた状態で所望のスライスのＭＲ画像を撮像するイメージング用撮像ステップと、呼吸を再開させる息継ぎステップとを、この順で２回以上繰り返すと共に、１回目のスライスの位置を１回目の横隔膜の位置と２回目以後の横隔膜の位置の差だけ補正した位置を２回目以後のスライスの位置とすることを特徴とするＭＲ撮影方法。
【請求項２】
請求項１に記載のＭＲ撮影方法において、
前記ナビゲータ用撮像ステップの撮像領域が体軸方向に伸びるライン状であることを特徴とするＭＲ撮影方法。
【請求項３】
請求項１または請求項２に記載のＭＲ撮影方法において、
前記イメージング用撮像ステップの前に、残留横磁化成分が縦磁化に戻るのを１秒間以上待つ回復待ちステップを設けることを特徴とするＭＲ撮影方法。
【請求項４】
請求項１から請求項３のいずれかに記載のＭＲ撮影方法において、
前記イメージング用撮像ステップの前に、残留横磁化成分を強制的に縦磁化に戻すファースト・リカバリー・ステップを設けることを特徴とするＭＲ撮影方法。
【請求項５】
請求項１から請求項４のいずれかに記載のＭＲ撮影方法において、
前記ナビゲータ用撮像ステップと前記イメージング用撮像ステップで、リバース・セントリック・ビュー・オーダリングとすることを特徴とするＭＲ撮影方法。
【請求項６】
請求項１から請求項５のいずれかに記載のＭＲ撮影方法において、
前記イメージング用撮像ステップで、腹部の造影ＭＲアンギオグラフィー撮像を行うことを特徴とするＭＲ撮影方法。
【請求項７】
請求項１から請求項５のいずれかに記載のＭＲ撮影方法において、
前記イメージング用撮像ステップで、肝臓の多相性撮像を行うことを特徴とするＭＲ撮影方法。
【請求項８】
請求項１から請求項５のいずれかに記載のＭＲ撮影方法において、
１回目の前記イメージング用撮像ステップでボディコイルを用いた感度補正用撮像を行い、
２回目以後の前記イメージング用撮像ステップでイメージング用撮像を行うことを特徴とするＭＲ撮影方法。
【請求項９】
請求項１から請求項５のいずれかに記載のＭＲ撮影方法において、
１回目の前記イメージング用撮像ステップでレファレンス・イメージ用撮像を行い、
２回目以後の前記イメージング用撮像ステップでパラレルイメージング用撮像を行うことを特徴とするＭＲ撮影方法。
【請求項１０】
請求項１から請求項５のいずれかに記載のＭＲ撮影方法において、
前記イメージング用撮像ステップで、各回の撮像条件を変えたイメージ・フュージョン用撮像を行うことを特徴とするＭＲ撮影方法。
【請求項１１】
横隔膜を含む撮像領域を持つＭＲ画像を撮像するナビゲータ用撮像手段と、
前記ナビゲータ画像を解析して横隔膜の位置を取得する横隔膜位置取得手段と、
所望のスライスのＭＲ画像を撮像するイメージング用撮像手段と、
前記各手段を２回以上繰り返し作動させる制御手段と、
１回目のスライスの位置を１回目の横隔膜の位置と２回目以後の横隔膜の位置の差だけ補正した位置を２回目以後のスライスの位置とする補正手段とを具備したことを特徴とするＭＲＩ装置。
【請求項１２】
呼吸を停止させた状態で横隔膜を含む撮像領域を持つＭＲ画像を撮像するナビゲータ用撮像手段と、
前記ナビゲータ画像を解析して横隔膜の位置を取得する横隔膜位置取得手段と、
呼吸を停止させた状態で所望のスライスのＭＲ画像を撮像するイメージング用撮像手段と、
前記各手段を息継ぎ時間を挟んで２回以上繰り返し作動させる制御手段と、
１回目のスライスの位置を１回目の横隔膜の位置と２回目以後の横隔膜の位置の差だけ補正した位置を２回目以後のスライスの位置とする補正手段とを具備したことを特徴とするＭＲＩ装置。
【請求項１３】
請求項１１または請求項１２に記載のＭＲＩ装置において、
前記ナビゲータ用撮像ステップの撮像領域が体軸方向に伸びるライン状であることを特徴とするＭＲＩ装置。
【請求項１４】
請求項１１から請求項１３のいずれかに記載のＭＲＩ装置において、
前記イメージング用撮像手段を作動させる前に、残留横磁化成分が縦磁化に戻るのを１秒間以上待つ回復時間を置くことを特徴とするＭＲＩ装置。
【請求項１５】
請求項１１から請求項１４のいずれかに記載のＭＲＩ装置において、
前記イメージング用撮像手段を作動させる前に、残留横磁化成分を強制的に縦磁化に戻すファースト・リカバリー手段を作動させることを特徴とするＭＲＩ装置。
【請求項１６】
請求項１１から請求項１５のいずれかに記載のＭＲＩ装置において、
前記ナビゲータ用撮像ステップと前記イメージング用撮像ステップで、リバース・セントリック・ビュー・オーダリングとすることを特徴とするＭＲＩ装置。
【請求項１７】
請求項１１から請求項１６のいずれかに記載のＭＲＩ装置を用いて、
腹部の造影ＭＲアンギオグラフィー撮像を行うことを特徴とするＭＲ撮影方法。
【請求項１８】
請求項１１から請求項１６のいずれかに記載のＭＲＩ装置を用いて、
肝臓の多相性撮像を行うことを特徴とするＭＲ撮影方法。
【請求項１９】
請求項１１から請求項１６のいずれかに記載のＭＲＩ装置を用いて、
１回目の前記イメージング用撮像ステップでボディコイルを用いた感度補正用撮像を行い、２回目以後の前記イメージング用撮像ステップでイメージング用撮像を行うことを特徴とするＭＲ撮影方法。
【請求項２０】
請求項１１から請求項１６のいずれかに記載のＭＲＩ装置を用いて、
１回目の前記イメージング用撮像ステップでレファレンスイメージ用撮像を行い、
２回目以後の前記イメージング用撮像ステップでパラレルイメージング用撮像を行うことを特徴とするＭＲ撮影方法。
【請求項２１】
請求項１１から請求項１６のいずれかに記載のＭＲＩ装置を用いて、
各回の撮像条件を変えたイメージ・フュージョン用撮像を行うことを特徴とするＭＲ撮影方法。
【請求項２２】
請求項１１から請求項１６のいずれかに記載のＭＲＩ装置を用いて、
拡散画像用撮像を行うことを特徴とするＭＲ撮影方法。
【請求項２３】
呼吸を停止させた状態で横隔膜を含む撮像領域を持つ断層像を撮像するナビゲータ用撮像ステップと、前記ナビゲータ画像を解析して横隔膜の位置を取得する横隔膜位置取得ステップと、呼吸を停止させた状態で所望のスライスの断層像を撮像するイメージング用撮像ステップと、呼吸を再開させる息継ぎステップとを、この順で２回以上繰り返すと共に、１回目のスライスの位置を１回目の横隔膜の位置と２回目以後の横隔膜の位置の差だけ補正した位置を２回目以後のスライスの位置とすることを特徴とする断層像撮影方法。
【請求項２４】
呼吸を停止させた状態で横隔膜を含む撮像領域を持つ断層像を撮像するナビゲータ用撮像手段と、
前記ナビゲータ画像を解析して横隔膜の位置を取得する横隔膜位置取得手段と、
呼吸を停止させた状態で所望のスライスの断層像を撮像するイメージング用撮像手段と、
前記各手段を息継ぎ時間を挟んで２回以上繰り返し作動させる制御手段と、
１回目のスライスの位置を１回目の横隔膜の位置と２回目以後の横隔膜の位置の差だけ補正した位置を２回目以後のスライスの位置とする補正手段とを具備したことを特徴とする断層像撮影装置。